(57)【要約】 本発明に係る蓄電池システム（１）は、ｎ台の交直変換装置（１１，１２，１３，・・・，１ｎ）を備える。各交直変換装置（１１）は、対応する蓄電池モジュール群（２１）に接続される。各蓄電池モジュール群は、１以上の蓄電池モジュール（２１１，２１２，２１３）が並列接続されてなる。少なくとも１つの蓄電池モジュール群を構成する蓄電池モジュールの最大蓄電容量は、他の蓄電池モジュール群を構成する蓄電池モジュールの最大蓄電容量と異なる。そして、本発明の蓄電池システム（１）の制御装置（４）は、遠方のエネルギーマネジメントシステム（３）からの充放電要求（Ｐｒｅｑ）と，蓄電池モジュール数（Ｂｎｕｍｉ）と、蓄電池容量比（Ｃｒａｔｉｏｉ）とに基づいて各交直変換装置の充放電量（Ｐｉ）を決定する。
2016063356.tif 000002
【特許請求の範囲】
【請求項１】
電力系統にＮ台（Ｎ≧２）の交直変換装置が接続され、前記Ｎ台の交直変換装置それぞれに、１以上の蓄電池モジュールが並列接続されてなる蓄電池モジュール群が接続された蓄電池システムであって、前記電力系統の電力需給を管理するエネルギーマネジメントシステムからの充放電要求に基づいて動作する蓄電池システムにおいて、  前記蓄電池モジュール群の状態を監視する蓄電池監視装置と、  前記充放電要求と、前記蓄電池監視装置から供給される蓄電池情報とを受信し、前記充放電要求と前記蓄電池情報とに基づいて前記Ｎ台の交直変換装置を制御する制御装置を備え、  前記交直変換装置は、前記電力系統の交流電力を直流電力に変換して前記蓄電池モジュール群に充電する機能と、前記蓄電池モジュール群の直流電力を交流電力に変換して前記電力系統に放電する機能とを有し、  少なくとも１つの前記蓄電池モジュール群を構成する蓄電池モジュールの最大蓄電容量は、他の前記蓄電池モジュール群を構成する蓄電池モジュールの最大蓄電容量と異なり、  前記制御装置は、以下の関係式（１）を満たすように前記Ｎ台の交直変換装置それぞれの充放電量を決定する充放電指令部を備えること、を特徴とする蓄電池システム。【数１】
2016063356.tif 000005
ここで、  Ｐｉは、第ｉ交直変換装置（１≦ｉ≦Ｎ）の充放電量、  Ｐｒｅｑは、前記充放電要求、  Ｂｎｕｍｉは、第ｉ交直変換装置に接続された蓄電池モジュール数、  Ｃｒａｔｉｏｉは、基準蓄電容量に対する第ｉ交直変換装置に接続された蓄電池モジュールの最大蓄電容量の容量比である。
【発明の詳細な説明】
【技術分野】
【０００１】  この発明は、電力系統に接続される蓄電池システムに関する。
【背景技術】
【０００２】  電力系統は、発電設備と負荷設備とを送配電設備によって接続することで構築されている。電力系統には、複数の大規模発電所と多数の工場や商業施設及び家庭とを接続する大規模なシステムから、特定の施設内で構築される小規模なシステムまで様々な規模のものが存在する。いずれの規模の電力系統においても、電力系統全体の電力需給を管理するエネルギーマネジメントシステム（ＥＭＳ）が備えられ、ＥＭＳによって発電設備による電力の供給と負荷設備による電力の需要とをバランスさせることが行われている。【０００３】  蓄電池システムは、上記のような電力系統に接続されて、電力需給をバランスさせるための１つの手段として用いられる。かつては、大量の電力の貯蔵は困難であるとされていたが、リチウムイオン電池やナトリウム硫黄電池のような大容量の蓄電池が実用化されたことによって、大量の電力の貯蔵が可能になった。このような蓄電池を備えた蓄電池システムを電力系統に接続することにより、電力の需要に対して供給が過大なときには、過剰な電力を蓄電池に充電し、電力の需要に対して供給が不足するときには、蓄電池からの放電により電力の不足を補填するといった運用をとることができる。【０００４】  このような蓄電池システムの好適な用途の一例が、太陽光や風力等の自然エネルギーを利用した発電設備との組み合わせである。自然エネルギーを利用した発電設備は、昨今のエネルギー問題あるいは環境問題に対する意識の高まりをうけて広く導入されつつある。しかし、自然エネルギーを利用した発電設備には、季節や天候等の自然的要因によって発電電力が左右されやすいために安定した電力供給を行えないという短所がある。蓄電池システムは、この短所を補うことのできるシステムであり、自然エネルギーを利用した発電設備に蓄電池システムを組み合わせることで安定した電力供給を行うことが可能になる。【０００５】  蓄電池システムを電力系統に接続する場合、蓄電池システムの動作は前述のＥＭＳによって管理される。蓄電池システムは、蓄電池に接続された交直変換装置（ＰＣＳ）を備える。ＰＣＳは、電力系統の交流電力を直流電力に変換して蓄電池に充電する機能と、蓄電池の直流電力を交流電力に変換して電力系統に放電する機能とを有している。ＥＭＳからＰＣＳに対して充放電要求が供給され、ＰＣＳが充放電要求に従って動作することで、電力系統から蓄電池への受電、あるいは、蓄電池から電力系統への放電が達成される。なお、ＥＭＳからＰＣＳに供給される充放電要求は、電力系統全体において電力の需給をバランスさせるように決定される。【０００６】  なお、出願人は、本発明に関連するものとして、以下に記載する文献を認識している。日本特開２０１４−１２４０６３号公報の図１には、電力系統に接続された複数のＰＣＳを備える蓄電池システムの一例が描かれている。
【先行技術文献】
【特許文献】
【０００７】
【特許文献１】日本特開２０１４−１２４０６３号公報
【発明の概要】
【発明が解決しようとする課題】
【０００８】  蓄電池は、保持されるＳＯＣ（Ｓｔａｔｅ  Ｏｆ  Ｃｈａｒｇｅ）により寿命が変化する。複数の蓄電池の劣化具合を均一にするため、蓄電池システムでは、各蓄電池のＳＯＣが均一に保って運用する必要がある。従来、複数台のＰＣＳを備えた蓄電池システムにおいて、各ＰＣＳに接続される蓄電池が同一メーカーの同一種類の蓄電池である場合には、充放電要求に応じた総充放電量を複数台のＰＣＳで按分して充放電制御を実行する。【０００９】  しかしながら、蓄電池システムの大規模化・多様化により、異なるメーカーの蓄電池を接続したＰＣＳを組み合わせて蓄電池システムが構成されることもある。このような蓄電池システムでは、ＰＣＳ間で蓄電池の最大蓄電容量が異なることとなる。このような蓄電池システムにおいて、上述のように充放電要求に応じた総充放電量を単純に複数台のＰＣＳで按分したのでは、充放電によるＳＯＣへの影響は、最大蓄電容量が小さい蓄電池の方が大きいため、ＰＣＳ間で蓄電池のＳＯＣにバラツキが生じてしまう。【００１０】  本発明は、上述のような課題を解決するためになされたもので、ＰＣＳ間で蓄電池の最大蓄電容量が異なる蓄電池システムにおいて、ＰＣＳ間で蓄電池のＳＯＣが均一になるように制御できる蓄電池システムを提供することを目的とする。
【課題を解決するための手段】
【００１１】  上記目的の達成のため、本発明に係る蓄電池システムは以下のように構成される。【００１２】  本発明に係る蓄電池システムは電力系統に接続され、電力系統の電力需給を管理するＥＭＳからの充放電要求に基づいて動作するように構成される。本発明に係る蓄電池システムが接続される電力系統の規模や構成には限定はない。【００１３】  本発明に係る蓄電池システムは、複数の蓄電池モジュール群、複数の蓄電池監視装置、複数のＰＣＳ、および、少なくとも１つの制御装置を備える。【００１４】  本発明に係る蓄電池システムは、Ｎ台（Ｎ≧２）のＰＣＳを備える。Ｎ台のＰＣＳはそれぞれ、個別の蓄電池モジュール群に接続される。蓄電池モジュール群は、１以上の蓄電池モジュールが並列接続されてなる。少なくとも１つの蓄電池モジュール群を構成する蓄電池モジュールの最大蓄電容量は、他の蓄電池モジュール群を構成する蓄電池モジュールの最大蓄電容量と異なる。【００１５】  蓄電池モジュールは単一の蓄電池セルで構成されていてもよいし、複数の蓄電池セルの集合体として構成されていてもよい。蓄電池の種類としては、リチウムイオン電池やナトリウム硫黄電池やニッケル水素電池等の大容量の蓄電池が好ましい。【００１６】  蓄電池監視装置は、蓄電池モジュール群の状態を監視する装置である。蓄電池監視装置は、蓄電池モジュール群に対して１つ設けられてもよいし、各蓄電池モジュールそれぞれに設けられてもよい。蓄電池監視装置による監視項目としては、例えば、電流、電圧、温度等の状態量を挙げることができる。蓄電池監視装置は、監視項目である状態量をセンサによって常時或いは所定の周期で計測し、得られたデータの一部或いは全部を蓄電池情報として外部に出力する。蓄電池情報には、蓄電池モジュールの最大蓄電容量、蓄電池モジュール数、後述する蓄電池容量比が含まれる。【００１７】  ＰＣＳは、電力系統に蓄電池を接続する装置であり、電力系統の交流電力を直流電力に変換して蓄電池モジュール群に充電する機能と、蓄電池モジュール群の直流電力を交流電力に変換して電力系統に放電する機能とを有している。ＰＣＳはパワーコンディショナーとも呼ばれ、蓄電池モジュール群への充電電力量、及び蓄電池モジュール群からの放電電力量は、ＰＣＳによって調整される。【００１８】  制御装置は、ＥＭＳとＮ台のＰＣＳとの間に介在する装置である。ＥＭＳから蓄電池システムに供給される充放電要求は、この制御装置が受信する。制御装置は、充放電要求とともに蓄電池監視装置から供給される蓄電池情報を受信し、充放電要求と蓄電池情報とに基づいてＮ台のＰＣＳを制御するように構成される。【００１９】  制御装置は充放電指令部を備える。充放電指令部は、以下の関係式（１）を満たすようにＮ台のＰＣＳそれぞれの充放電量を決定する。【００２０】
【数１】
2016063356.tif 000003
【００２１】  ここで、  Ｐｉは、第ｉＰＣＳ（１≦ｉ≦Ｎ）の充放電量、  Ｐｒｅｑは、充放電要求、  Ｂｎｕｍｉは、第ｉＰＣＳに接続された蓄電池モジュール数、  Ｃｒａｔｉｏｉは、蓄電池容量比である。蓄電池容量比は、基準蓄電容量に対する第ｉＰＣＳに接続された蓄電池モジュールの最大蓄電容量の容量比を意味する。基準蓄電容量は、例えば、所定の蓄電池モジュールの最大蓄電容量とする。
【発明の効果】
【００２２】  この発明によれば、ＰＣＳ間で蓄電池の最大蓄電容量が異なる蓄電池システムにおいて、ＰＣＳ間で蓄電池のＳＯＣが均一になるように制御することができる。
【図面の簡単な説明】
【００２３】
【図１】本発明の実施の形態１に係るシステム構成を説明するための概念構成図である。
【図２】本発明の実施の形態１に係るシステムのブロック図である。
【図３】本発明の実施の形態１において充放電指令部７による具体的な計算例を説明するための図である。
【図４】ＥＭＳ３からの充放電要求に基づく充放電制御を実現するために、蓄電池システム１が実行する制御ルーチンのフローチャートである。
【図５】本発明の実施の形態１に係るシステム構成の変形例について説明するための概念構成図である。
【発明を実施するための形態】
【００２４】  以下、図面を参照して本発明の実施の形態について詳細に説明する。なお、各図において共通する要素には、同一の符号を付して重複する説明を省略する。
【００２５】実施の形態１．［実施の形態１のシステム構成］  図１は、本発明の実施の形態１に係るシステム構成を説明するための概念構成図である。図１に示す蓄電池システム１は、電力系統の送電設備２に接続される。電力系統には、送電設備２の他、送電設備２に発電設備（図示省略）や負荷設備（図示省略）が接続されてもよい。蓄電池システム１は、コンピュータネットワーク５１により遠方のエネルギーマネジメントシステム（以下、ＥＭＳ）３に接続される。ＥＭＳ３は、発電設備の発電量、蓄電池システム１の充放電量、負荷設備の受電量など、電力系統の電力需給を管理する。
【００２６】  蓄電池システム１は、複数の交直変換装置（以下、ＰＣＳ）１１〜１ｎ、複数の蓄電池モジュール群２１〜２ｎ、複数の蓄電池監視装置（以下、ＢＭＵ：Ｂａｔｔｅｒｙ  Ｍａｎａｇｅｍｅｎｔ  Ｕｎｉｔ）３１〜３ｎ、および、制御装置４を備える。
【００２７】  蓄電池システム１は、第１〜第ＮまでのＮ台（Ｎ≧２）のＰＣＳを備える。以下説明容易のため、１つのＰＣＳとそのＰＣＳに接続される蓄電池モジュール群およびＢＭＵとから構成されるグループを「ＰＣＳグループ」と称する。各ＰＣＳグループの基本構成は同様であるため、ここでは、第１のＰＣＳグループを例示して説明する。
【００２８】  第１のＰＣＳグループは、ＰＣＳ１１を備える。ＰＣＳ１１は、蓄電池モジュール群２１に接続される。蓄電池モジュール群２１は、蓄電池モジュール２１１〜２１３が並列接続されてなる。図１では、蓄電池モジュールは３列であるが、これは単なる一例である。蓄電池モジュールの並列数はＰＣＳ１１の仕様に基づいて定められる。よって、蓄電池モジュールの並列数が１列になることもあり得る。
【００２９】  各蓄電池モジュール２１１〜２１３は、複数のセルが直列に接続されたモジュールである。各セルは、リチウムイオン電池（ＬｉＢ）である。なお、１つの蓄電池モジュール群２１内において、蓄電池モジュール２１１〜２１３の最大蓄電容量は同じである。
【００３０】  蓄電池モジュール２１１〜２１３は、信号線によりＢＭＵ３１に接続される。ＢＭＵ３１は、コンピュータネットワーク５３により制御装置４に接続される。図１では、１つの蓄電池モジュールに対して１つのＢＭＵが接続されているが、これは単なる一例である。蓄電池モジュール群２１に対して１つのＢＭＵが接続されてもよい。
【００３１】  ＢＭＵ３１は、蓄電池モジュール群２１の状態を監視する。具体的には、ＢＭＵ３１は、蓄電池モジュール２１１〜２１３の状態量を計測する手段として電流センサ、電圧センサ、及び温度センサを備える。電流センサによって蓄電池モジュール２１１〜２１３に流れる電流が計測される。電圧センサによって蓄電池モジュール２１１〜２１３の電圧が計測される。そして、温度センサによって蓄電池モジュール２１１〜２１３の温度が計測される。ＢＭＵ３１による蓄電池モジュール２１１〜２１３の監視は常時行われる。ただし、本実施の形態でいう常時監視とは、センサから絶え間のない連続した信号を取り込む動作だけでなく、所定の短い周期でセンサの信号を取り込む動作を含む概念である。ＢＭＵ３１は、各センサによる計測で得られた情報を含む蓄電池情報を制御装置４に送信する。また、蓄電池情報には、蓄電池モジュールの最大蓄電容量、蓄電池モジュール数、蓄電池容量比も含まれ得る。なお、これらの情報は、制御装置４に予め記憶されていてもよい。
【００３２】  以上、ＰＣＳ１１に接続された蓄電池モジュール群２１およびＢＭＵ３１について説明したが、上述した基本構成は、ＰＣＳ１２〜１ｎに接続された蓄電池モジュール群２２〜２ｎおよびＢＭＵ３２〜３ｎについても同様である。重要な相違点は、蓄電池モジュール群２１〜２ｎのうち、少なくとも１つの蓄電池モジュール群を構成する蓄電池モジュールの最大蓄電容量は、他の蓄電池モジュール群を構成する蓄電池モジュールの最大蓄電容量と異なることである。例えば、蓄電池モジュール２１１〜２１３それぞれの最大蓄電容量は１００［ｋＷｈ］であり、蓄電池モジュール２２１〜２２３それぞれの最大蓄電容量は５０［ｋＷｈ］である。
【００３３】  制御装置４は、例えばＲＯＭ、ＲＡＭ等を含むメモリ、各種情報を入出力する入出力インタフェース、各種情報に基づいて各種演算処理を実行可能なプロセッサを備える。制御装置４は、コンピュータネットワーク５１によりＥＭＳ３に、コンピュータネットワーク５３によりＢＭＵ３１〜３ｎに、コンピュータネットワーク５２によりＰＣＳ１１〜１ｎに接続される。
【００３４】  制御装置４は、ＰＣＳ１１〜１ｎに対して充放電指令を出す司令塔の役割を担う。一例として、制御装置４は、ＥＭＳ３から送信された充放電要求と、ＢＭＵ３１〜３ｎから送信された蓄電池情報を受信する。充放電要求は、ＰＣＳ１１〜１ｎに充放電させる有効電力と無効電力に関する要求を含む。制御装置４は、充放電要求と蓄電池情報とに基づいてＰＣＳ１１〜１ｎに対する充放電指令（充放電量［ｋＷ］に相当する）を決定し、ＰＣＳ１１〜１ｎに送信する。また、制御装置４は、ＰＣＳ１１〜１ｎに対してトリップ指令を出力する機能等も備える。
【００３５】  ＰＣＳ１１は、変圧器を介して送電線により送電設備２に接続される。ＰＣＳ１１は、電力系統の交流電力を直流電力に変換して蓄電池モジュール群２１に充電する充電機能と、蓄電池モジュール群２１の直流電力を交流電力に変換して電力系統に放電する放電機能とを備える。蓄電池モジュール群２１への充電電力量、および、蓄電池モジュール群２１からの放電電力量は、ＰＣＳ１１によって調整される。ＰＣＳ１１による充放電電力量の調整は、制御装置４から供給される充放電指示に従って行われる。ＰＣＳ１２〜１ｎもＰＣＳ１１と同様の機能を有する。
【００３６】［実施の形態１の特徴的構成］  図２は、本発明の実施の形態１に係るシステムのブロック図である。図２における制御装置４を示すブロック内には、制御装置４が備える種々の機能のうちの一部がブロックで表されている。ブロックに演算資源が割り当てられている。制御装置４にはブロックに対応するプログラムが用意され、それらがプロセッサによって実行されることでブロックの機能が制御装置４において実現される。
【００３７】（充放電指令機能）  制御装置４は充放電指令機能を有し、その機能は充放電指令部７が受け持つ。制御装置４は、ＥＭＳ３から充放電要求を受信し、ＢＭＵ３１〜３ｎから蓄電池情報を受信する。充放電指令部７は、充放電要求と蓄電池情報とに基づいて充放電指令を決定し、充放電指令をＰＣＳ１１〜１ｎに送信する。
【００３８】  具体的には、充放電指令部７は、蓄電池情報に含まれる各蓄電池モジュール群の電圧から充放電可能電力を計算する。本実施の形態でいう電圧とは、蓄電池モジュールの両端にかかる電圧を意味する。また、ＳＯＣは満充電に対する充電率を意味する。リチウムイオン電池は、満タンに充電されているほど電圧が高く、空に近いほど電圧が低くなるという特性を有している。この電圧−ＳＯＣ特性を利用することにより、電圧の計測値からＳＯＣを計算し、ＳＯＣから充放電可能電力を計算することができる。なお、ＳＯＣは、蓄電池情報に含まれる電流の積算値から算出することも可能である。なお、充放電指令部７が計算する充放電可能電力は、蓄電池モジュール群に接続された全ての蓄電池モジュールの放電可能電力の和を意味する。これは、蓄電池モジュールの電圧と並列数とから計算することができる。充放電指令部７は、充放電可能電力を制約条件として、ＥＭＳ３からの充放電要求に基づきＰＣＳ１１〜１ｎに対する充放電指令を決定する。ただし、制約条件としての充放電可能電力は、充放電指令の決定において満たすのが望ましい条件ではあるが、絶対に外してはならない条件ではない。
【００３９】  上述したように、蓄電池システム１はＮ台（Ｎ≧２）のＰＣＳを備える。Ｎ台のＰＣＳはそれぞれ、個別の蓄電池モジュール群に接続される。蓄電池モジュール群は、１以上の蓄電池モジュールが並列接続されてなる。少なくとも１つの蓄電池モジュール群を構成する蓄電池モジュールの最大蓄電容量は、他の蓄電池モジュール群を構成する蓄電池モジュールの最大蓄電容量と異なる。このような構成において、充放電指令部７は、以下の関係式（１）を満たすようにＮ台のＰＣＳそれぞれの充放電量を決定する。
【００４０】
【数２】
2016063356.tif 000004
【００４１】  ここで、  Ｐｉは、第ｉＰＣＳ（１≦ｉ≦Ｎ）の充放電量、  Ｐｒｅｑは、充放電要求、  Ｂｎｕｍｉは、第ｉＰＣＳに接続された蓄電池モジュール数、  Ｃｒａｔｉｏｉは、蓄電池容量比である。蓄電池容量比は、基準蓄電容量に対する第ｉＰＣＳに接続された蓄電池モジュールの最大蓄電容量の容量比を意味する。基準蓄電容量は、例えば、所定の蓄電池モジュールの最大蓄電容量とする。
【００４２】  図３を用いて、充放電指令部７による具体的な計算の一例について説明する。  図３は、本発明の実施の形態１において充放電指令部７による具体的な計算例を説明するための図である。図３に示す蓄電池システムは２台のＰＣＳを備える。ＰＣＳ１１の最大出力は１００［ｋＷ］、ＰＣＳ１２の最大出力は１００［ｋＷ］である。ＰＣＳ１１に接続されている蓄電池モジュールの並列数は２、ＰＣＳ１２に接続されている蓄電池モジュールの並列数は２である。蓄電池モジュール２１１および２１２ぞれぞれの最大蓄電容量は１００［ｋＷｈ］、蓄電池モジュール２２１および２２２ぞれぞれの最大蓄電容量は５０［ｋＷｈ］である。すなわち、１並列あたりの最大蓄電容量は、ＰＣＳ１１はＰＣＳ１２の２倍である。そのため、蓄電池容量比（式（１）のＣｒａｔｉｏ）は、ＰＣＳ１１側が１．０、ＰＣＳ１２側が０．５である。
【００４３】  以上の構成において、充放電要求として１２０ｋＷの放電要求があった場合、充放電指令部７は、関係式（１）に上記条件を入力して、各ＰＣＳの出力を以下のように算出する。
【００４４】ＰＣＳ１１の出力＝１２０［ｋＷ］×２×１．０／（２×１．０＋２×０．５）                ＝８０［ｋＷ］ＰＣＳ１２の出力＝１２０［ｋＷ］×２×０．５／（２×１．０＋２×０．５）                ＝４０［ｋＷ］
【００４５】  充放電指令部７は、放電量８０［ｋＷ］を示すＰＣＳ１１への充放電指令と、放電量４０［ｋＷ］を示すＰＣＳ１２への充放電指令とを決定する。
【００４６】（フローチャート）  図４は、ＥＭＳ３からの充放電要求に基づく充放電制御を実現するために、蓄電池システム１が実行する制御ルーチンのフローチャートである。このフローチャートに示す制御装置４の処理は、充放電指令部７の機能によって実現される処理である。制御装置４のメモリには、図４に示すフローチャートの処理を実行するプログラムが記憶されており、制御装置４のプロセッサがプログラムを読み出して、実行することにより図４に示す処理が実現される。
【００４７】  図４に示すルーチンでは、まず、ＥＭＳ３は、電力系統における電力の需要と供給とをバランスさせるように蓄電池システム１に対する充放電要求を決定する（ステップＳ１０１）。ＥＭＳ３は、決定した充放電要求を制御装置４に送信する（ステップＳ１０２）。
【００４８】  第１のＰＣＳグループでは、ＢＭＵ３１が各種センサを用いて蓄電池情報を常時取得する（ステップＳ３０１）。その後、ＢＭＵ３１は、取得した蓄電池情報を制御装置４に送信する（ステップＳ３０２）。
【００４９】  第２〜第ｎのＰＣＳグループについてもステップＳ３０１、Ｓ３０２と同様の処理を実行する。例えば、第ｎのＰＣＳグループでは、ＢＭＵ３ｎが各種センサを用いて蓄電池情報を常時取得する（ステップＳ４０１）。第ｎのＰＣＳグループは、ＰＣＳ１ｎ、蓄電池モジュール群２ｎ、ＢＭＵ３ｎを含むグループである。その後、ＢＭＵ３ｎは、取得した蓄電池情報を制御装置４に送信する（ステップＳ４０２）。
【００５０】  制御装置４は、ＥＭＳ３から送信された充放電要求を受信する（ステップＳ２０１）。また、制御装置４は、第１のＰＣＳグループのＢＭＵ３１から送信された蓄電池情報を受信する（ステップＳ２０２）。同様に、制御装置４は、第２〜第ｎのＰＣＳグループのＢＭＵ３２〜３ｎから送信された蓄電池情報を受信する（ステップＳ２０３）。
【００５１】  制御装置４は、ステップＳ２０４において受信した充放電要求と、ステップＳ２０２、Ｓ２０３において受信した蓄電池情報に基づいて、ＰＣＳ１１〜１ｎの充放電量を算出し、これらの充放電量を示す充放電指令を決定する（ステップＳ２０４）。ステップＳ２０４で実行される充放電指令の決定の方法は、充放電指令機能の説明において述べたとおりである。その後、制御装置４は、第１のＰＣＳグループに対する充放電指令をＰＣＳ１１に送信する（ステップＳ２０５）。同様に、制御装置４は、第２〜第ｎのＰＣＳグループに対する充放電指令をＰＣＳ１２〜１ｎに送信する（ステップＳ２０６）。
【００５２】  第１のＰＣＳグループでは、ＰＣＳ１１が制御装置４から送信された充放電指令を受信する（ステップＳ３０３）。ＰＣＳ１１は、充放電指令に従って充放電操作を実行する（ステップＳ３０４）。
【００５３】  同様に、第２〜第ｎのＰＣＳグループでは、ＰＣＳ１２〜１ｎが制御装置４から送信された充放電指令を受信する（ステップＳ４０３）。ＰＣＳ１２〜１ｎは、充放電指令に従って充放電操作を実行する（ステップＳ４０４）。
【００５４】  以上説明したように、本実施の形態の蓄電池システム１によれば、ＰＣＳ間で蓄電池の最大蓄電容量が異なる蓄電池システムにおいても、ＰＣＳ間で蓄電池のＳＯＣが均一になるように制御することができる。
【００５５】（変形例）  ところで、図１のシステム構成においては、制御装置４を蓄電池システムに１つ配置することとしているが、その配置はこれに限定されるものではない。図５は、本発明の実施の形態１に係るシステム構成の変形例について説明するための概念構成図である。図５に示すように、１つのＰＣＳグループに１つの制御装置を配置することとしてもよい。図５に示す主制御装置４１は、ＥＭＳ３から充放電要求を受信し、ＢＭＵ３１から蓄電池情報を受信し、従制御装置４ｎからＢＭＵ３ｎが送信した蓄電池情報を受信する。主制御装置４１は、各ＰＣＳの充放電量を算出し、これらの充放電量を示す充放電指令を決定する。充放電指令の決定の方法は、充放電指令機能の説明において述べたとおりである。主制御装置４１は、ＰＣＳ１１に対する充放電指令をＰＣＳ１１に送信すると共に、ＰＣＳ１ｎに対する充放電指令を従制御装置４ｎに送信する。従制御装置４ｎは、ＰＣＳ１ｎに対する充放電指令をＰＣＳ１ｎに出力する。
【符号の説明】
【００５６】１  蓄電池システム２  送電設備３  エネルギーマネジメントシステム（ＥＭＳ）４  制御装置７  充放電指令部１１、１２、１３、１ｎ  交直変換装置（ＰＣＳ）２１、２２、２３、２ｎ  蓄電池モジュール群３１、３２、３３、３ｎ  蓄電池監視装置（ＢＭＵ）２１１−２１３、２２１−２２３、２３１−２３３、２ｎ１−２ｎ３  蓄電池モジュール４１  主制御装置４ｎ  従制御装置５１、５２、５３、５３１、５３ｎ  コンピュータネットワーク
【図１】
2016063356.tif 000006
【図２】
2016063356.tif 000007
【図３】
2016063356.tif 000008
【図４】
2016063356.tif 000009
【図５】
2016063356.tif 000010
【国際調査報告】
2016063356.tif 000011
2016063356.tif 000012